(57)【特許請求の範囲】
【請求項１】
法面に木本を植栽して緑化するための緑化装置において、
前記法面から上方に延びる保持部と、
前記保持部を前記法面に固定するため前記保持部の両側に設けられたアンカー手段と、
前記保持部の上辺に開閉自在に取り付けられポット苗を植え込むための十字状の切り込みを有する網状の被覆部と、
前記保持部の両側に設けられた側板部とを備え、
前記保持部を前記法面に固定し、前記被覆部を開けた状態で前記保持部と前記側板部の間の前記法面上に緑化基材を吹き付け、前記緑化基材上に前記被覆部を被せて前記被覆部の自由端側をアンカー手段によって前記法面に固定することを特徴とする法面の緑化装置。
【請求項２】
前記法面は切土岩盤法面、コンクリート吹き付け法面又は法枠面であることを特徴とする請求項１に記載の法面の緑化装置。
【発明の詳細な説明】
【０００１】
【発明の属する技術分野】
本発明は、法面の緑化装置に関し、特に切土岩盤法面、コンクリート吹き付け法面、法枠面などに適用するのに好適な法面の緑化装置に関する。
【０００２】
【従来の技術】
例えば切土岩盤法面を緑化する場合、従来は基材に草本や木本を混合させ、この基材を法面に吹き付けて行う厚層基材吹付工法が一般的であった。
【０００３】
【発明が解決しようとする課題】
しかしながら、従来の厚層基材吹付工法では、これを単独で行う場合には、緑化基材のだれ落ちなどの関係で緑化基材の厚さを１０ｃｍ以上に確保することが困難であり、木本にとって十分な厚さとすることができないため、法面基盤への根の伸張が期待できないという問題があった。
【０００４】
このため、基材の厚さを確保するために、法面の基盤に穴を掘って基材を埋める植穴工法や、基材を保持するための編柵工法などが厚層基材吹付工法と共に使用されていたが、植穴工法では堅固な岩盤では穴の容積を大きくするのが困難であり、また、編柵工法では、急勾配になると基材の保持が困難になるという問題があった。
【０００５】
本発明の目的は、このような問題点を解決するためになされたものであり、切土岩盤など堅固な法面でも基材を十分な厚さに確保することが可能な法面の緑化装置を提供することにある。
【０００６】
【課題を解決するための手段】
本発明は法面の緑化装置であり、前述の技術的課題を解決するために以下のように構成されている。すなわち、本発明の法面の緑化装置は、法面に草本や木本を植栽して緑化するための緑化装置において、前記法面から上方に延びる保持部と、前記保持部を前記法面に固定するため前記保持部の両側に設けられたアンカー手段と、前記保持部の上辺に開閉自在に取り付けられポット苗を植え込むための十字状の切り込みを有する網状の被覆部と、前記保持部の両側に設けられた側板部とを備え、前記保持部を前記法面に固定し、前記被覆部を開けた状態で前記保持部と前記側板部の間の前記法面上に緑化基材を吹き付け、前記緑化基材上に前記被覆部を被せて前記被覆部の自由端側をアンカー手段によって前記法面に固定することを特徴とする。
【０００７】
この法面の緑化装置は、法面に吹き付けられた緑化基材を保持部、被覆部及び側板部で包囲するので、十分な厚さの基材を確実に保持することができる。また、十字状の切り込みからポット苗を植え込むことができる。
【０００８】
前記法面は切土岩盤法面、コンクリート吹き付け法面又は法枠面とすることができる。この場合は、従来困難であった堅固な切土岩盤、コンクリート吹付法面、法枠面なども確実に緑化することができる。
【０００９】
【発明の実施の形態】
以下、本発明に係る法面の緑化装置を図示の実施の形態について詳細に説明する。
【００１０】
図１は、本発明に係る法面の緑化装置１を示す。この法面の緑化装置１は、法面３０（図２）に木本３６を植栽して緑化するためのものであり、法面３０から上方に延びる保持部１１と、この保持部１１を法面３０に固定するため保持部１１の両側に設けられたアンカー１２と、保持部１１の上辺に取り付けられた開閉自在な網状の被覆部１３と、保持部１１の両側に設けられた側板部１４とを備えている。
【００１１】
保持部１１は、図２にも示すように例えば所定強度を有するジオグリッドなどで長方形に形成されており、その高さＨは木本３２の根を伸張させるのに必要な寸法、本実施の形態では２０ｃｍ以上に設定されている。また、保持部１１の幅Ｗは例えば１ｍに設定されている。保持部１１の両端部は折り返されており、その内部にアンカー１２が挿入されている。
【００１２】
被覆部１３は網状のジオネットで一辺が１ｍの正方形に形成されている。そして、その一辺が保持部１１の上辺に編み込み縫合によって取り付けられている。被覆部１３の略中央には、ポット苗植え込み用として十字状の切り込み１５が設けられている。また、被覆部１３の両側端には、補強用のベルト１６が設けられている。このベルト１６の自由端には、アンカー固定用の孔１７が設けられている。
【００１３】
側板部１４は網状のジオネットで長方形に形成され、その長さは被覆部１３の半分より少し短くなっている。この側板部１４は、編み込み縫合によって被覆部１３に取り付けられている。また、側板部１４の被覆部１３と反対側の端縁には補強用のベルト１８が設けられ、その保持部１１と反対側の端縁にはアンカー固定用の孔１９が設けられている。
【００１４】
この法面の緑化装置１は、図３に示すように保持部１１が法面３０から上方に延びた状態でアンカー１２によって法面３０に固定される。また、側板部１４もアンカー３３によって法面３０に固定される。そして、保持部１１と側板部１４との間の法面３０上に緑化基材として例えば厚層基材３４が例えば２０ｃｍ以上吹き付けられる。
【００１５】
厚層基材３４としては、バーク堆肥、ピートモス、表土、木チップ、汚泥ケーキ、セメント系或いは高分子系粘結剤、緩効性肥料及び草本系種子を混合したものを使用することができる。この厚層基材３４上に被覆部１３が被せられ、被覆部１３の端部がアンカー３５によって法面３０に固定される。これによって、厚層基材３４が法面３０に確実に保持される。そして、被覆部１３に設けた十字状の切り込み１５から、厚層基材３４内にポット苗３６を植え込む。
【００１６】
この法面の緑化装置１を法面３０に取り付ける場合は、まず図４（Ａ）に示すように、保持部１１をアンカー１２によって法面３０に固定する。次に、同図（Ｂ）に示すように被覆部１３を開いた状態で、保持部１１の上側に厚層基材３４を所定の厚さになるまで吹き付ける。
【００１７】
次に、同図（Ｃ）に示すように、被覆部１３を厚層基材３４上に被せて、被覆部１３の端部をアンカー３５によって法面３０に固定する。このときには、側板部１４をアンカー３３によって法面３０に固定することにより、厚層基材３４の両側を包囲する。
【００１８】
次に、同図（Ｄ）に示すように、被覆部１３の十字状の切り込み１５から厚層基材３４内にポット苗３６を植え込む。これにより、法面の緑化装置１の取付が完了する。同様にして、同図（Ｅ）に示すように、法面３０上に法面の緑化装置１を適宜な間隔を開けて取り付け、これらの緑化装置１の間に草本系を主体とした厚さ数ｃｍの厚層基材３７を吹き付けることにより、法面３０を緑化することができる。
【００１９】
このように、本発明に係る法面の緑化装置１は、法面３０に吹き付けられた厚層基材３４を保持部１１、被覆部１３及び側板部１４で包囲するので、厚層基材３４の流亡を防止できる。したがって、例えば切土岩盤法面、コンクリート吹付法面又は法枠面のような堅固な法面３０であっても、木本３２を植生するのに十分な厚さの厚層基材３４を確実に保持することができる。また、厚層基材３４中に混合されている種子以外の種子が飛来しても、これらの種子による被圧がなく、導入すべき目的植物を確実に成育することができる。
【００２０】
また、この法面の緑化装置１は、従来の植穴工法のように岩盤に穴をあける必要がなく、編柵工法に比べて勾配が急な法面３０に厚層基材３４を確実に保持することができる。更に、被覆部１３に十字状の切り込み１５が設けられているので、ポット苗３６を厚層基材３４に植え込むことが容易であり、岩盤に根が入らない場合でも低木を植栽することができると共に、ポット苗植物の幹などに危害を及ぼすことなく、成長を促すことができる。
【００２１】
なお、上述の実施の形態では、法面の緑化装置１内に厚層基材３４を吹き付ける場合について説明したが、この厚層基材３４に代えて客土材を使用することができる。この場合には、保持部１１の上側にクレーンバケット或いはポンプなどにより客土を充填し、その上に被覆部１３を被せてポット苗を植栽する。客土材は現地発生土を主体とするものであり、その１例として表土３割、岩ずり２割、汚泥ケーキ２割、バーク堆肥３割を混合させたものを使用できる。
【００２２】
【発明の効果】
以上説明したように、本発明の法面の緑化装置によれば、法面に吹き付けられた基材を保持部、被覆部及び側板部で包囲するので、十分な厚さの基材を確実に保持することができ、これにより、木本の根を伸張させて法面を緑化することができる。また、十字状の切り込みから内側の基材にポット苗を植え込むことができるので、ポット苗植物の幹等に危害を及ぼすことなく、成長を促すことができる。
【００２３】
更に、従来困難であった堅固な切土岩盤、コンクリート吹付法面、法枠面などにも確実に取り付けて緑化することができる。
【図面の簡単な説明】
【図１】本発明に係る法面の緑化装置を示す斜視図である。
【図２】本発明に係る法面の緑化装置の展開図である。
【図３】本発明に係る法面の緑化装置の使用状態図である。
【図４】本発明に係る法面の緑化装置の取付手順を示す図である。
【符号の説明】
１  法面の緑化装置
１１  保持部
１２、３５  アンカー手段
１３  網状の被覆部
１４  側板部
１５  十字状の切り込み
３０  法面
３２  木本
３４  厚層基材
【図１】
0003690925.tif 000002
【図２】
0003690925.tif 000003
【図３】
0003690925.tif 000004
【図４】
0003690925.tif 000005